(57)【要約】本発明は、分注装置用の分注ヘッド（１）、および液体製剤の計量分注用の分注ヘッドを備えた分注装置（１００）に関する。分注ヘッドは、分注ヘッドに導入されて液体製剤を分注する通路チャネル（３）を閉じることができる少なくとも１つのシーリングリップ（７ａ，７ｂ）を含む特殊バルブ（６）を備える。本発明は、分注ヘッド（１）の簡易さ、およびそれに関連する製造における経済的利点によって特徴付けられる。
2021525200.tif 000002
【特許請求の範囲】
【請求項１】
液体製剤（２）の計量分注のための分注装置（１００）に用いる分注ヘッド（１）であって、
内面に配置された入口開口部（４）および液体製剤用の外側分注開口部（５）を有する通路チャネル（３）と、
前記入口開口部（４）の上の内部空間（８）側に配置されたバルブ体（７）を備えるバルブと、を備え、
前記入口開口部は、前記通路チャネル（３）を介して前記内部空間（８）と外部環境とを接続すると共に、内部空間に対して前記液体製剤（３）を可逆的に密封可能に構成され、
前記バルブ体（７）は、前記入口開口部（４）に対向する側に形成され、前記バルブ体（７）で前記入口開口部（４）を閉じたときに前記入口開口部（４）に対して前記内部空間（８）を密封する少なくとも１つのシーリングリップ（７ａ、７ｂ）を有すること
を特徴とする分注ヘッド（１）。
【請求項２】
前記バルブ体（７）は、少なくとも２つのシーリングリップ、１つの内側シーリングリップ（７ａ）および１つの外側シーリングリップ（７ｂ）を備えることを特徴とする請求項１に記載の分注ヘッド（１）。
【請求項３】
前記少なくとも１つのシーリングリップ（７ａ、７ｂ）、特に前記内側シーリングリップ（７ａ）および前記外側シーリングリップ（７ｂ）が前記バルブ体（７）に同心円状に配置されていることを特徴とする請求項１または２に記載の分注ヘッド（１）。
【請求項４】
前記バルブ体（７）および前記少なくとも１つのシーリングリップ（７ａ、７ｂ）は、一体形成されることを特徴とする請求項１〜３のいずれか一項に記載の分注ヘッド（１）。
【請求項５】
前記少なくとも１つのシーリングリップ（７ａ、７ｂ）は、０．０５〜１ｍｍ、好ましくは０．１〜０．５ｍｍの前記入口開口部（４）の方向の高さを有することを特徴とする請求項１〜４のいずれか一項に記載の分注ヘッド（１）。
【請求項６】
前記少なくとも１つのシーリングリップ（７ａ、７ｂ）は、０．０５〜１ｍｍ、好ましくは０．１〜０．４ｍｍの幅を有することを特徴とする請求項１〜５のいずれか一項に記載の分注ヘッド（１）。
【請求項７】
前記バルブ体（７）および前記少なくとも１つのシーリングリップ（７ａ、７ｂ）は、熱可塑性プラスチックまたはエラストマープラスチック、特にポリエチレン、ポリプロピレン、ポリスチレンなどのポリオレフィン、またはＰＡ６、ＰＡ６６、ＰＡ１２などのポリアミドからから形成されることを特徴とする請求項１〜６のいずれか一項に記載の分注ヘッド（１）。
【請求項８】
前記バルブ（６）は、前記バルブ体（７）が固定される少なくとも１つの締結要素（９ａ）を有するフレーム（９ｂ）を備え、前記フレーム（９ｂ）は、前記分注ヘッド（１）に締結されることを特徴とする請求項１〜７のいずれか一項に記載の分注ヘッド（１）。
【請求項９】
前記バルブ体（７）、前記フレーム（９ｂ）、および前記少なくとも１つの締結要素（９ａ）が一体形成されていることを特徴とする請求項８に記載の分注ヘッド（１）。
【請求項１０】
前記分注ヘッド（１）は、前記分注ヘッドは、前記バルブ体（７）を有する前記フレーム（９ｂ）と力を伝達するように、または形状が一致するように嵌合する切り欠き部（１０）を有することを特徴とする請求項１〜９のいずれか一項に記載の分注ヘッド（１）。
【請求項１１】
前記バルブ（６）は、前記分注ヘッド（１）の切り欠き部（１０）に緩く受容され、前記切り欠き部（１０）内で垂直（ｖ）に移動可能に形成されていることを特徴とする請求項１〜８のいずれか一項に記載の分注ヘッド（１）。
【請求項１２】
前記バルブ体（７）は、前記液体製剤（２）が前記バルブ体と前記切り欠き部（１０）の境界となる壁との間を流れることができるように寸法されていることを特徴とする請求項１１に記載の分注ヘッド（１）。
【請求項１３】
前記切り欠き部（１０）は、垂直方向において前記バルブ（６）が前記切り欠き部の外に完全に導かれることを妨げる境界（１１）を有することを特徴とする請求項１１または１２に記載の分注ヘッド（１）。
【請求項１４】
前記バルブ体（７）は、前記通路チャネル（３）に嵌入するガイド延長部（７ｃ）を有し、当該ガイド延長部は、前記通路チャネル（３）よりも小さい断面を有することを特徴とする請求項１〜１３のいずれか一項に記載の分注ヘッド（１）。
【請求項１５】
前記ガイド延長部（７ｃ）および前記バルブ体（７）は一体形成されることを特徴とする請求項１４に記載の分注ヘッド（１）。
【請求項１６】
液体製剤（２）の計量分注用の分注装置（１００）であって、
請求項１〜１５のいずれか一項に記載の分注ヘッド（１）と、
フレキシブル貯蔵容器（２０）と、を備え、
前記分注ヘッド（１）は、流体的に密封された状態で前記貯蔵容器（２０）に設置されることを特徴とする分注装置（１００）。
【請求項１７】
前記フレキシブル貯蔵容器は、圧力によって作動する圧搾ボトルであることを特徴とする請求項１６に記載の分注装置（１００）。
【請求項１８】
前記貯蔵容器（２０）が、熱可塑性プラスチックおよびエラストマープラスチックを含む群から選択される材料、特にポリエチレン、ポリプロピレン、ポリスチレンなどのポリオレフィン、またはＰＡ６、ＰＡ６６、ＰＡ１２などのポリアミドから形成されることを特徴とする請求項１６または１７に記載の分注装置（１００）。
【請求項１９】
眼科製品、特に点眼剤、鼻科製品、特に点鼻剤、流体、ゲル、クリーム、ペースト、食品、および食品サプリメントの保存および／または計量分注のための、請求項１６〜１８のいずれか一項に記載の分注装置（１００）の使用。
【発明の詳細な説明】
【技術分野】
【０００１】
本発明は、分注装置用の分注ヘッド、および液体製剤の計量分注用の分注ヘッドを備えた分注装置に関する。ここでの分注ヘッドは、分注ヘッドに導入された液体製剤を分注するための通路を閉じることができる少なくとも１つのシーリングリップを含む特殊バルブを備える。本発明は、分注ヘッドの簡易さ、およびそれに関連する製造における経済的利点によって特徴付けられる。
【背景技術】
【０００２】
国際公開公報第２０１８／０１０８８９号は、流体の計量分注を可能にするポンプヘッド、および、例えば、圧搾ボトルとして構成され得る計量器と、対応して構成されたポンプヘッドを含む計量器とに関する。しかし、ここで記載されているポンプヘッドは十分な感圧性がなく、計量対象となる流体の特定量の目標計量分注が困難である。
【発明の概要】
【発明が解決しようとする課題】
【０００３】
本発明の目的は、液体製剤の計量分注のための分注装置に用いる分注ヘッドを提供するか、または、可能な限り感圧性を有し、したがって、分注されるべき液体（特に、水溶液のような低い表面張力を有する液体）の正確に計量された量の分注を容易にする分注装置を提供することにある。分注ヘッドには、さらに、できるだけシンプルな設計のバルブが設けられる。この目的は、分注ヘッドに関する請求項１の特徴、および分注装置に関する請求項１６の特徴によって達成される。分注装置の使用の可能性については、請求項１９に記載される。
【課題を解決するための手段】
【０００４】
本発明は、液体製剤の計量分注のための分注装置に用いる分注ヘッドに関するものであり、分注ヘッドは、内面に配置された入口開口部と、液体製剤用の外側分注開口部とを有する通路チャネルを備える。当該入口開口部は、通路チャネルを介して内部空間と外部環境とを接続する。また、分注ヘッドは、入口開口部の上の内部空間側に配置されたバルブ体を有するバルブを備える。当該入口開口部は、内部空間に対して液体製剤を可逆的に密封可能に設計される。バルブ体は、入口開口部に対向する側に形成され、バルブ体で入口開口部を閉じたときに入口開口部に対して内部空間を密封する少なくとも１つのシーリングリップを有する。
【０００５】
このように分注ヘッドは、分注する液体製剤を内側（バルブが配置される側）から外側に分注する通路チャネルを備えている。この目的のため、分注ヘッドは、内面に配置された入口開口部と外側分注開口部とを有する通路チャネルを備える。ここで、バルブは、分注ヘッドのいくつかの作動状態において、通路チャネル（したがって、完全な通路チャネル）の入口開口部を独立して閉じることができるように構成される。
【発明の効果】
【０００６】
本発明によれば、バルブ体は、少なくとも１つのシーリングリップを有し、それによって、通路チャネルの入口開口部を効果的に閉じることが可能になる。バルブ体自体は、ここでは、入口開口部に対して可動に形成されており、これにより、バルブの開状態にあっては、計量される液体製剤を入口開口部に分注し、よって、分注開口部を介して通路チャネル内および外部に分注することができる。
【０００７】
したがって、本発明のバルブは、バルブ体が全く押圧されていないとき、または通路チャネルの入口開口部に分注される流体によって十分に小さな押圧力で押圧されているとき、分注される流体が、分注ヘッドと少なくとも１つのシーリングリップまたは複数のシーリングリップとの間を通過することができるようになる。バルブ体にかかる圧力が（例えば、調剤される流体を介して）増加したとき、または例示するような、圧力増加が生じたときには、少なくとも１つのシーリングリップを有するバルブ体が分注ヘッドに対して十分に強く押され、その結果、通路チャネルの入口開口部を確実に閉鎖する。通路チャネルは、この作動状態において、バルブによって閉鎖される。
【０００８】
したがって、圧搾ボトルに圧力が加えられないとき、バルブは開状態となり、バルブ体の少なくとも１つのシーリングリップと分注ヘッドの壁との間に狭い間隙が存在する。但し、ここでの間隙は、本発明に従った分注ヘッドを有する計量装置が、出口開口部が下方を向くように配置されたとしても（例えば、計量装置の輸送または保管中にハンドバッグ内またはズボンポケット内でそのように配置されても）、流体が出ないような小さな寸法を有する。これは、流体の表面張力と、バルブと分注ヘッドの壁との間の距離とが小さいためである。計量される流体の分注は、計量装置の内部に存在する流体に圧力をかけることによって行われ、例えば、圧搾ボトルに圧力がかけられる。流体の分注は、バルブの閉鎖が行われるまで、定量的に行われる。バルブは、圧搾ボトルへの圧力によって閉じられ、圧力が継続しても出口通路の流体閉鎖が行われるという点で、規定された計量体積を分注した後に閉じられる。
【０００９】
計量装置を下向きに収納する場合（すなわち、バルブが通路チャネルの上方に配置される場合）、計量される流体は、バルブが開いているため、通路チャネルに流入することができる。計量装置の作動時（すなわち、例えば、圧搾ボトルが押されるなどして、その中の貯蔵された流体に圧力が加えられた場合）には、通路チャネルが閉鎖するまで、流体の計量された分注がバルブを通して行われる。したがって、計量された量は、バルブの計量ストロークによって決まる。
【００１０】
バルブと液体との間に空気がある場合、すなわち計量装置を上向きに保管する場合（すなわちバルブが通路チャネルの下方に配置されている場合）は、重力によって液体が貯蔵容器に逆流するため、空気のみが通路チャネル内に存在する。したがって、圧力をかけると一回分のストローク量の空気だけが出ていく。
【００１１】
本発明は、特に、例えば１つのピースで形成することができ、分注ヘッドに配置することができるバルブの簡易さによって特徴付けられる。この点において、バルブのためのさらなる固定手段は必要とされないため、分注ヘッドとバルブとの双方を単一の材料から等しく生産することができ、金属や複雑な機械的構成物のような異物は不要となる。
【００１２】
好ましい実施形態によれば、バルブ体は、少なくとも２つのシーリングリップ、内側シーリングリップ、および外側シーリングリップを含む。
【００１３】
さらに、少なくとも１つのシーリングリップ、特に内側シーリングリップおよび外側シーリングリップが、バルブ体において同心円状に配置されていることが好ましい。同心円状の設計のため、入口開口部は、通路チャネル（任意に同様に円形）について、断面において等しく円形として形成され、例えば、確実に囲まれて内部空間に対して密封される。
【００１４】
バルブ体と少なくとも１つのシーリングリップとが一体形成される場合、バルブの製造に特に有利である。
【００１５】
少なくとも１つのシーリングリップは、入口開口部方向の高さが０．０５〜１ｍｍ、好ましくは０．１〜０．５ｍｍである場合、さらに好ましい。
【００１６】
少なくとも１つのシーリングリップ（７ａ、７ｂ）は、例えば、０．０５〜１ｍｍ、好ましくは０．１〜０．４ｍｍの幅を有することができる。
【００１７】
少なくとも１つのシーリングリップが、熱可塑性プラスチックまたはエラストマープラスチック、特にポリエチレン、ポリプロピレン、ポリスチレンなどのポリオレフィン、またはＰＡ６、ＰＡ６６、ＰＡ１２などのポリアミドから形成される場合、さらに好ましい。
【００１８】
バルブが、バルブ体が固定される少なくとも１つの締結要素を有し、分注ヘッドに締結されるフレームを備えることも同様に可能である。
【００１９】
バルブ体、フレーム、および少なくとも１つの締結要素が一体形成されている場合、特に利点がある。
【００２０】
また、先の実施形態において、分注ヘッドは、バルブ体を有するフレームと力を伝達するように、または形状が一致するように嵌合する切り欠き部を有している場合、さらに好ましい。
【００２１】
さらなる好ましい実施形態では、バルブは、分注ヘッドの切り欠き部に緩く受容され、切り欠き部内で垂直に移動可能なように形成される。
【００２２】
特に、上記実施形態にあっては、液体製剤がバルブ体と切り欠き部の境界となる壁との間を流れることができるようにバルブ体が寸法されていると利点がある。
【００２３】
特に、バルブまたはバルブ体を固定するために、バルブ体が切り欠き部に緩く配置されている場合に好ましい。この好ましい実施形態によれば、切り欠き部は、垂直方向においてバルブが切り欠き部の外に完全に導かれることを妨げる境界を有する。
【００２４】
さらに、バルブ体は、通路チャネルに嵌入するガイド延長部を有し、通路チャネルよりも小さい断面を有することが好ましい。
【００２５】
ガイド延長部とバルブ体とが一体形成されれば、特に有利となりうる。
【００２６】
本発明は、さらに、前記請求項の一項に記載の分注ヘッドとフレキシブル貯蔵容器とを備えた液体製剤の計量分注用の分注装置に関し、分注ヘッドは流体的に密封された状態で貯蔵容器に設置されている。
【００２７】
貯蔵容器は、特に圧力によって作動可能な圧搾ボトルとして形成されている。
【００２８】
貯蔵容器は、ここでは、熱可塑性プラスチックおよびエラストマープラスチックを含む群から選択される材料、特に、ポリエチレン、ポリプロピレン、ポリスチレンなどのポリオレフィン、またはＰＡ６、ＰＡ６６、ＰＡ１２などのポリアミドから選択することができる。
【００２９】
本発明はさらに、本発明に係る上記分注装置の使用に関する。本発明に係る使用の可能性は、眼科製品（特に点眼剤）、鼻科製品（特に点鼻剤）、流体、ゲル、クリーム、ペースト、食品、および食品サプリメントの保存および／または計量分注である。
【００３０】
本発明は、提示される特定の状況に限定することなく、以下の図および実施形態を参照して、より詳細に例示される。
【図面の簡単な説明】
【００３１】
【図１】開状態における本発明の分注ヘッドおよび分注装置の第１の実施形態を示す。
【図２ａ】第１の実施形態に係る分注装置であって、計量された体積の分注完了後、即ちバルブの閉鎖後を示す。
【図２ｂ】均圧状態、すなわち空気流入による圧搾ボトル内の吸引力が均等である状態にある第１の実施形態に係る分注装置を示す。
【図３】開状態における本発明の分注ヘッドおよび分注装置の第２の実施形態を示す。
【図４ａ】第２の実施形態に係る分注装置であって、計量された体積の分注完了後、即ちバルブの閉鎖後を示す。
【図４ｂ】均圧状態、すなわち空気流入による圧搾ボトル内の吸引力が均等である状態にある第２の実施形態に係る分注装置を示す。
【発明を実施するための形態】
【００３２】
図１は、本発明に係る分注ヘッド１を備えた、本発明に係る分注装置１００の第１の実施形態を示している。図１の右側には、貯蔵容器２０に貯蔵された流体２の計量分注が行われている状態の分注装置１００全体が示されている。貯蔵容器２０は、ここでは、本発明に係る分注ヘッド１に、例えば、スナップ式または別の機械的な固定方法を介して接続されている。分注ヘッドには分注開口部５があり、そこから液体製剤２を分注することができる。分注開口部５は、通路チャネル３を介して、液体製剤２が通路チャネル３を通って内部空間８から分注開口部５の方向に移動できる入口開口部４と連通する。
【００３３】
貯蔵容器２０は、特に、絞り込まれ、圧力によって作動させることができる圧搾ボトルとして形成されている（図１の右側の矢印を参照）。
【００３４】
セクションＡ（図１の左下）に、通路チャネル３の入口開口部４を可逆的に閉じることができるバルブ６の詳細な実施形態を示す。また、セクションＢでは、横断面図（セクションＢ上部）および平面透視図（セクションＢ下部）により、バルブ６を選択的に示した拡大図を示す。
【００３５】
ここでバルブ６は、その下側（すなわち通路チャネル３の入口開口部４に対向する側）に２つの同心のシーリングリップ７ａ、７ｂを有するバルブ体７を有する。計量した容量は、まず高圧で分注される。所定容量を分注した後、バルブ６は、増加する圧力によって閉じられる。バルブ体７は、圧搾ボトルに加えられる圧力により、特にシーリングリップ７ａ、７ｂを介して、通路チャネル３の入口開口部４に押圧される。これにより流体閉鎖がされ、バルブ体７が押圧される分注ヘッド１の壁と通路チャネル３の入口開口部４との間に、流体２に対して一時的に不通性をもつバリアが形成される。これは、定量計量分注が行われず、むしろ、圧搾ボトルの圧力が終了したときにのみ分注が停止する従来の圧搾ボトルとは異なる。このように、分注量は、圧搾ボトルにかかる圧力とは無関係に計量することができ、したがって、常に等しく計量することができる。
【００３６】
図１の例示的な場合、バルブ６は、ここで、バルブ体７（その上に位置するシーリングリップ７ａ、７ｂとともに）が保持アーム９ａを介してフレーム９ｂに締結されるように構成される。上記した部品はすべてバルブ６を形成している。このバルブ６は、このバルブ６の受入れのために設けられた分注ヘッド１内の受入れ開口部１０に挿入することができ、追加の機械的手段を用いて分注ヘッド１内に固定する必要なく（例えば、分注ヘッド内およびバルブ６の受入れ開口部１０の対応する寸法設計を介して）、当該受け入れ開口部内に固定することができる。
【００３７】
図２ａには、既に図１にも示されているように、分注装置１００が示されている。見易さのため、図２には、同一構成部品の参照記号は記載していない。バルブ体７が通路チャネル３の入口開口部４に完全に押し付けられ、通路チャネル３がバルブ体７によって閉じられている状態が詳細図Ｉに示されている。
【００３８】
図２ｂは、均圧の状態、すなわち、分注装置１００が分注が行われた後に貯蔵状態に設定された場合を示す。このとき、分注装置は、貯蔵容器２０の基部上に置かれる。圧搾ボトル２０の可逆的な膨張が行われ、液体２として先に分注された体積が、通路チャネル３を介して内部空間８に流れ込む空気（詳細図ＩＩに示す）と交換される。このように、空気を吸い込むことによって内部で均圧化が行われる。なお、圧搾ボトルの位置はここでは何の役割も果たしていない。
【００３９】
図３は、代替バルブ６を有する本発明に係る分注ヘッド１の別の実施形態を示す。図３の場合、バルブ６は、２つのシーリングリップ７ａおよび７ｂが下側に配置されるバルブ体７を有する（なお、その他の点では図１に係るバルブ６と類似する）。バルブ体７はさらにガイド延長部７ｃを有する。バルブ６は、分注ヘッド１の受入れ開口部１０に受け入れられ、そこで垂直移動可能（矢印ｖで示す）とされている。受入れ開口部１０は、例えば、作動状態または計量装置を圧搾ボトル２０の基部上で上下逆さに配置した状態で、バルブ６が受入れ開口部１０から外れないように、開口部１０の突起および／またはくびれの形状で構成される境界１１を有する。
【００４０】
バルブ体７は、流体２が、入口開口部４の方向、または、受入れ開口部１０の壁とバルブ体７の先端との間の通路チャネル３をいつでも流れることができるように、寸法決めされる。
【００４１】
図３の例示的な場合に示されるガイド延長部７ｃは、ここでは、通路チャネル３または入口開口部４に対して水平位置にバルブ６を固定するように構成されており、これにより、シーリングリップ７ａ、７ｂを介して入口開口部４の確実な封止が常に確保されるようになっている。
【００４２】
バルブ６の機能、特に入口開口部４の可逆的閉鎖のための圧力に関する機能は、他の全ての点で図１の実施形態と同一である。
【００４３】
図４ａは、図２ａと同様に、通路チャネル３の入口開口部４がバルブ６により完全に閉鎖された状態Ｉの分注装置１００を示す。この状態は、圧搾ボトル２０に圧力がかかりバルブが後方に到達すると生じる。
【００４４】
図４ｂは、先に分注された液体製剤２の体積を空気Ｌで置き換え、圧搾ボトル２０が元の状態に戻った状態ＩＩの分注装置１００を示す（矢印を参照）。
【図１】
2021525200.tif 000003
【図２ａ】
2021525200.tif 000004
【図２ｂ】
2021525200.tif 000005
【図３】
2021525200.tif 000006
【図４ａ】
2021525200.tif 000007
【図４ｂ】
2021525200.tif 000008
【国際調査報告】
2021525200.tif 000009
2021525200.tif 000010
2021525200.tif 000011
2021525200.tif 000012
2021525200.tif 000013